【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
煙道ガスストリームから二酸化炭素を除去するためのシステムであって、当該システムは、煙道ガスストリームを受け取るように設定された吸収容器(101)を含んでなり、前記吸収容器(101)は、煙道ガスストリームを受け取り、この煙道ガスストリームを第１のイオン性溶液と接触させるように設定された第１吸収ステージ(104)、前記第１吸収ステージ(104)を通過した煙道ガスストリームを受け取り、この煙道ガスを第２のイオン性溶液と接触させるように設定された第2吸収ステージ(105)、第1液だめ容器(107)、及び第２液だめ容器(108)、吸収容器(101)のすべての部材を含んでなるものであり、前記第1吸収ステージ(104)は、第1吸収ステージ(104)からのイオン性溶液を集め、この溶液を第1液だめ容器(107)に送達するように配置された液体収集受器(110)を含んでなり、前記第２吸収ステージ(105)は、第２吸収ステージ(105)からのイオン性溶液を集め、この溶液を第２液だめ容器(108)に送達するように設置された液体収集受器(111)を含んでなる、二酸化炭素除去システム。
【請求項２】
吸収容器(101)が底部セクション(119)を含んでなり、底部セクション内において、第１及び第２液だめ容器(107,108)が、前記底部セクション(119)の２つのサブセクションによって形成されている、請求項１記載のシステム。
【請求項３】
さらに、第１液だめ容器(107)におけるイオン性溶液のNH3：CO2のモル比（Ｒ）の値を１.２−２.０に維持するように設定された制御システム(134)を含んでなる、請求項１記載のシステム。
【請求項４】
さらに、第２液だめ容器(108)におけるイオン性溶液のNH3：CO2のモル比（Ｒ）の値を２.０−４.０に維持するように設定された制御システム(134)を含んでなる、請求項３記載のシステム。
【請求項５】
制御システム(134)が、NH3又は液だめ容器(107,108)におけるイオン性溶液のNH3：CO2のモル比（Ｒ）よりも高いＲを有する媒体をイオン性溶液に導入するように設定された装置(137)を含んでなる、請求項３記載のシステム。
【請求項６】
第１吸収ステージ(104)が、さらに、液体分配装置(114)及びイオン性溶液を第１液だめ容器(107)から前記液体分配装置(114)に送達するように設定されたイオン性溶液送達路(113)を含んでなる、請求項１記載のシステム。
【請求項７】
第２吸収ステージ(105)が、さらに、液体分配装置(116)及びイオン性溶液を第２液だめ容器(108)から前記液体分配装置(116)に送達するように設定されたイオン性溶液送達路(115)を含んでなる、請求項１記載のシステム。
【請求項８】
第１吸収ステージ(104)のイオン性溶液送達路(113)が、第１吸収ステージ(104)の液体分配装置(114)に送達されるイオン性溶液の温度を制御するための熱交換装置(124)を含んでなる、請求項６記載のシステム。
【請求項９】
液体分配装置(114)に送達されるイオン性溶液の温度を５−２０℃の範囲内に制御する、請求項６記載のシステム。
【請求項１０】
第２吸収ステージ(105)のイオン性溶液送達路が、第２吸収ステージ(105)の液体分配装置(116)に送達されるイオン性溶液の温度を制御するための熱交換装置(126)を含んでなる、請求項７記載のシステム。
【請求項１１】
液体分配装置(116)に送達されるイオン性溶液の温度を５−２０℃の範囲内に制御する、請求項７記載のシステム。
【請求項１２】
第１吸収ステージ(104)が固体粒子を含有するイオン性溶液にて作動するように設定されている、請求項１記載のシステム。
【請求項１３】
吸収容器(101)が、さらに、第1及び第２吸収ステージ(104,105)を通過した煙道ガスを受け取り、この煙道ガスをイオン性溶液と接触させるように設定された第３吸収ステージ(106)を含んでなる、請求項１記載のシステム。
【請求項１４】
第３吸収ステージ(106)が、第３吸収ステージ(106)からのイオン性溶液を集め、この溶液を第１液だめ容器(107)に送達するように設置された液体収集受器(112)を含んでなる、請求項１３記載のシステム。
【請求項１５】
第３吸収ステージ(106)が、液体分配装置(118)及びイオン性溶液を第１液だめ容器(107)から前記液体分配装置(118)に送達するように設定されたイオン性溶液送達路(117)を含んでなる、請求項１３記載のシステム。
【請求項１６】
第３吸収ステージ(106)のイオン性溶液送達路(117)が、第３吸収ステージ(106)の液体分配装置(118)に送達されるイオン性溶液の温度を制御するための熱交換装置(127)を含んでなる、請求項１３記載のシステム。
【請求項１７】
第３吸収ステージ(106)の液体分配装置(118)に送達されるイオン性溶液の温度を１０℃以下の範囲内に制御する、請求項１３記載のシステム。
【請求項１８】
第３吸収ステージ(106)が固体粒子を含有するイオン性溶液にて作動するように設定されている、請求項１３記載のシステム。
【請求項１９】
CO2を含有する煙道ガスストリームからCO2を除去する方法であって、
ａ）炭酸水素アンモニウムを形成する条件下で、NH3を含んでなる第１のイオン性溶液流を煙道ガスストリームと接触させて、煙道ガスストリームからCO2の第１の部分を除去する工程、
ｂ）工程ａ）からの使用済みイオン性溶液を第１液だめ容器(107)において集める工程、
ｃ）イオン性溶液を第１液だめ容器(107)から工程ａ）に再循環する工程、
ｄ）本質的に固状の炭酸水素アンモニウムが形成されない条件下で、NH3を含んでなる第２のイオン性溶液流を煙道ガスストリームと接触させて、煙道ガスストリームからCO2の第２の部分を除去する工程、
ｅ）工程ｄ）からの使用済みイオン性溶液を第２液だめ容器(108)において集める工程、及び
ｆ）イオン性溶液を第２液だめ容器(108)から工程ｄ）に再循環する工程
を含んでなるCO2の除去法。
【請求項２０】
第１のイオン性溶液が１.２−２.０の範囲のNH3：CO2のモル比（Ｒ）を有する、請求項１９記載の方法。
【請求項２１】
さらに、第１液だめ容器(107)内のイオン性溶液のNH3：CO2のモル比（Ｒ）の値を１.２−２.０の範囲に調整する工程を含んでなる、請求項１９記載の方法。
【請求項２２】
NH3：CO2のモル比（Ｒ）の調整を、NH3及び／又は第１液だめ容器(107)内のイオン性溶液のＲよりも高いNH3：CO2のモル比（Ｒ）を有する媒体を第１液だめ容器(107)に導入することによって達成する、請求項２１記載の方法。
【請求項２３】
媒体が第２液だめ容器(108)からのイオン性溶液である、請求項２１記載の方法。
【請求項２４】
第２のイオン性溶液が２.０−４.０の範囲のNH3：CO2のモル比（Ｒ）を有する、請求項１９記載の方法。
【請求項２５】
さらに、第２液だめ容器(108)内のイオン性溶液のNH3：CO2のモル比（Ｒ）の値を２.０−４.０の範囲に調整する工程を含んでなる、請求項１９記載の方法。
【請求項２６】
NH3：CO2のモル比（Ｒ）の調整を、NH3及び／又は第２液だめ容器(108)内のイオン性溶液のＲよりも高いNH3：CO2のモル比（Ｒ）を有する媒体を第２液だめ容器(108)に導入することによって達成する、請求項２５記載の方法。
【請求項２７】
工程ａ）における第１のイオン性溶液の温度を５−２０℃の範囲内に制御する、請求項１９記載の方法。
【請求項２８】
工程ｄ）における第２のイオン性溶液の温度を５−２０℃の範囲内に制御する、請求項１９記載の方法。
【請求項２９】
さらに、NH3を含んでなりかつ１.２−２.０の範囲のNH3：CO2モル比（Ｒ）を有する第３のイオン性溶液流を煙道ガスストリームと接触させて、煙道ガスストリームからCO2の第３の部分を除去する工程を含んでなる、請求項１９記載の方法。
【請求項３０】
第３のイオン性溶液流を第１液だめ容器(107)から送達する、請求項２９記載の方法。
【請求項３１】
第３のイオン性溶液流を、イオン性溶液中の固体の量を低減するように設定された装置(133)を介して送達する、請求項２９記載の方法。
【請求項３２】
第３のイオン性溶液の温度を１０℃以下の範囲に制御する、請求項２９記載の方法。